(57)【要約】  本発明の目的は、遠心ファンから吐出される空気の流れがドレンパンと干渉することによる騒音の増加を防止することができる空気調和機の室内機を提供することにある。室内の空気を機内に吸い込む室内機吸込口３と、室内機吸込口３から吸い込んだ空気を周囲に吐出する遠心送風機５と、遠心送風機５の吐出側に設けられた熱交換器８と、熱交換器８の下流側に設けられた空気の吹出口１２と、熱交換器８の下部に設けられ結露水を受けるドレンパン９とを備え、遠心送風機５の吐出口７ｂの下端がドレンパン９の熱交換器８に対して上流側に位置する壁面部２３の上端２３ａよりも高い位置に設けられた空気調和機の室内機において、ドレンパン９は、熱交換器８に対して上流側に位置する壁面部２３の上端２３ａが熱交換器８に対して下流側に位置する壁面部２２の上端２２ａよりも低く形成される。
2016084216.tif 000002
【特許請求の範囲】
【請求項１】
室内の空気を機内に吸い込む室内機吸込口と、前記室内機吸込口から吸い込んだ空気を周囲に吐出する遠心送風機と、前記遠心送風機の吐出側に設けられ空気を冷却または加熱する熱交換器と、前記熱交換器の下流側に設けられ空気を吹き出す吹出口と、前記熱交換器の下部に設けられ前記熱交換器で生じる結露水を受けるドレンパンとを備え、前記ドレンパンは前記熱交換器に対して上流側に位置する端部と下流側に位置する端部とからそれぞれ上方に立ち上がる壁面部を有し、前記遠心送風機の吐出口の下端を前記ドレンパンの前記熱交換器に対して上流側に位置する前記壁面部の上端よりも高い位置に設けた空気調和機の室内機において、
前記ドレンパンは、前記熱交換器に対して上流側に位置する前記壁面部の上端が前記熱交換器に対して下流側に位置する前記壁面部の上端よりも低く形成されたことを特徴とする空気調和機の室内機。
【請求項２】
請求項１に記載の空気調和機の室内機において、
前記ドレンパンは、前記熱交換器に対して上流側に位置する壁面部と下流側に位置する壁面部との間の底面に、底面から更に下方に掘り込んだ掘り込み部が設けられたことを特徴とする空気調和機の室内機。
【請求項３】
請求項２に記載の空気調和機の室内機において、
前記掘り込み部は前記熱交換器に対して上流側に設けられたことを特徴とする空気調和機の室内機。
【請求項４】
請求項２に記載の空気調和機の室内機において、
ドレン水を機外に排出するためのドレンポンプを備えるとともに、前記ドレンポンプの吸入口を前記掘り込み部に設けたことを特徴とする空気調和機の室内機。
【請求項５】
請求項１に記載の空気調和機の室内機において、
前記室内機吸込口を中心部に有すると共に、前記室内機吸込口の周囲に前記吹出口を有する化粧パネルと、前記化粧パネルに接続された筐体とを備え、
前記筐体の内側に前記遠心送風機と前記熱交換器と前記ドレンパンとを配置し、
室内機を制御するための制御基板を内蔵した電気品箱を筐体の外側に設けたことを特徴とする空気調和機の室内機。
【請求項６】
請求項２に記載の空気調和機の室内機において、
前記ドレンパンの前記熱交換器に対して上流側に位置する壁面部の上端は、熱交換器の下端よりも下方に位置することを特徴とする空気調和機の室内機。
【請求項７】
請求項１に記載の空気調和機の室内機において、
前記ドレンパンの前記熱交換器に対して上流側に位置する壁面部の厚さが、前記ドレンパンの前記熱交換器に対して下流側に位置する壁面部の厚さよりも薄いことを特徴とする空気調和機の室内機。
【請求項８】
請求項１に記載の空気調和機の室内機において、
前記ドレンパンの前記熱交換器に対して上流側に位置する壁面部と前記熱交換器との距離よりも、前記ドレンパンの前記熱交換器に対して下流側に位置する壁面部と前記熱交換器との距離の方を大きくしたことを特徴とする空気調和機の室内機。
【発明の詳細な説明】
【技術分野】
【０００１】
本発明は、筐体内に設けられた遠心送風機を用いて、室内から空気を吸い込み、遠心送風機の吹き出し側に設けられた熱交換器を介して空気を冷却または加熱したのち、室内に向けて吹き出す空気調和機の室内機に関する。
【背景技術】
【０００２】
空気調和機は、冷媒が封入された冷媒循環流路に、冷媒を圧縮する圧縮機と、冷媒と室内の空気とを熱交換させる室内熱交換器と、冷媒を減圧する膨張弁と、冷媒と外気とを熱交換させる室外熱交換器とを順次配設してなる冷凍サイクルを備えている。このうち室外熱交換器は室外熱交換器に空気を送る送風機と共に室外機の筐体内に格納され、室内熱交換器は、室内熱交換器に室内の空気を送る送風機と共に室内機の筐体内に格納される。【０００３】
室内機には据付場所に対応して様々な形態のものがあるが、近年、特に業務用の分野では、筐体を天井内に埋め込み、天井面に設置された化粧パネルを介して空気の吸い込み、吹き出しを行う、いわゆる天井埋込カセットタイプが主流となっている。【０００４】
天井埋込カセットタイプの室内機として、特開２００２−１３９２３０号公報（特許文献１）に記載された空気調和機の室内ユニットが知られている。特許文献１では、熱交換器を通過する風速分布を均一化して熱交換器の性能を十分に引き出し、小エネルギ化、低騒音化、コンパクト化を図れる室内ユニットを提供することを目的として、吸込口と吹出口とを備え、送風機の周囲に熱交換器を配置した空気調和機の室内ユニットにおいて、熱交換器の風上のユニット吸込口側に静圧回収用のベーンを設けた構成が開示されている（要約参照）。【０００５】
また、特許文献１の室内ユニットでは、遠心送風機の周囲を取り囲むように熱交換器が配置され、遠心送風機の遠心ファンから吐出された空気は熱交換器で熱交換された後、吹出口より室内に吹き出される。このような構造において、熱交換器の下部には熱交換器に付着した水滴を受けるためのドレンパンが設置されている（段落００２１及び図１参照）。
【先行技術文献】
【特許文献】
【０００６】
【特許文献１】特開２００２−１３９２３０号公報
【発明の概要】
【発明が解決しようとする課題】
【０００７】
空気調和機の室内機では、快適性の観点から騒音を低減することが重要である。例えば特許文献１では、熱交換器の風上のユニット吸込口側に静圧回収用のベーンを設けることで騒音低減を図っている。【０００８】
ところで、このような構造の空気調和機の室内機では、騒音を低減するためには遠心ファンの直径を大きくすることが効果的である。しかしながら、遠心ファンを相似形状で大きくすると、遠心ファンの吐出口部とドレンパンとの距離が接近してくる。遠心ファンの吐出口部とドレンパンとの距離が接近しすぎると、空気の流れがドレンパンと干渉し、騒音が増大する。このため、遠心ファンの直径を大きくしたにもかかわらず、十分に騒音を低減できないといった課題があった。【０００９】
本発明の目的は、遠心ファンから吐出される空気の流れがドレンパンと干渉することによる騒音の増加を防止することができる空気調和機の室内機を提供することにある。
【課題を解決するための手段】
【００１０】
上記目的を達成するため、本発明の空気調和機の室内機は、室内の空気を機内に吸い込む室内機吸込口と、前記室内機吸込口から吸い込んだ空気を周囲に吐出する遠心送風機と、前記遠心送風機の吐出側に設けられ空気を冷却または加熱する熱交換器と、前記熱交換器の下流側に設けられ空気を吹き出す吹出口と、前記熱交換器の下部に設けられ前記熱交換器で生じる結露水を受けるドレンパンとを備え、前記ドレンパンは前記熱交換器に対して上流側に位置する端部と下流側に位置する端部とからそれぞれ上方に立ち上がる壁面部を有し、前記遠心送風機の吐出口の下端が前記ドレンパンの前記熱交換器に対して上流側に位置する前記壁面部の上端よりも高い位置に設けられた空気調和機の室内機において、
前記ドレンパンは、前記熱交換器に対して上流側に位置する前記壁面部の上端が前記熱交換器に対して下流側に位置する前記壁面部の上端よりも低く形成される。
【発明の効果】
【００１１】
本発明によれば、筐体内に設けられた遠心送風機を介して、室内から空気を吸い込み、遠心送風機の吹き出し側に設けられた熱交換器を介して空気を冷却または加熱したのち、室内に向けて吹き出す空気調和機の室内機において、遠心送風機から吐出される空気の流れが熱交換器の下部に配置されたドレンパンと干渉することによって生じる騒音の増加を抑制することができる。【００１２】
上記した以外の課題、構成及び効果は、以下の実施形態の説明により明らかにされる。
【図面の簡単な説明】
【００１３】
【図１】本発明に係る第１の実施例の空気調和機の室内機を示す断面図。
【図２】本発明に係る第２の実施例の空気調和機の室内機を示す断面図。
【図３】本発明に係る第３の実施例の空気調和機の室内機を示す断面図。
【図４】本発明に係る第４の実施例の空気調和機の室内機を示す断面図。
【図５】本発明との比較例における空気調和機の室内機を示す断面図。
【発明を実施するための形態】
【００１４】
以下、本発明の実施例について、図面を参照して説明する。
【実施例１】
【００１５】
以下、本発明に係る第１の実施例について、図１を用いて説明する。図１は、本発明に係る第１の実施例の空気調和機の室内機を示す断面図である。以下の説明では、他の実施例も含め、「上流側」および「下流側」は、空気の流れ方向（気流方向）における「上流側」および「下流側」を表すものとする。【００１６】
この室内機１００Ａは、化粧パネル１と化粧パネル１に接続された筐体２とを備えて構成されている。ここで、化粧パネル１は中心部に吸込みグリル（室内機吸込口）３を備え、その周囲に風向板４を備えた吹出口（室内機吹出口）１２が配設されている。筐体２内にはモータ６およびモータ６のシャフトに接続された遠心ファン７から構成される遠心送風機５が設置されている。モータ６を運転することにより遠心ファン７が回転し、図１の矢印１５に示す様に、室内空気は吸込みグリル３、吸込みグリル３に設置されたフィルタ１６および筐体２内に設置されたベルマウス１０を通して遠心ファン７の吸込口７ａに吸い込まれ、矢印１８で示されるように遠心ファン７の吐出口７ｂより吐出される。【００１７】
また、遠心送風機５の周囲を取り囲むように室内熱交換器８が配置され、遠心ファン７から吐出された空気は室内熱交換器８で熱交換されたあと、矢印１７に示すように吹出口１２より室内に吹出される。また室内熱交換器８の下部には冷房時に室内熱交換器８に生じる結露水を受けるためのドレンパン９が設置されている。【００１８】
吸込みグリル３はフィルタ１６とともに化粧パネル１から着脱可能であり、フィルタ１６の清掃が容易な構造となっている。ベルマウス１０の下面には室内機１００Ａの運転を制御するための図示しない制御基板を収納した電気品箱１１が設置されている。このような構造では、吸込みグリル１３を開けることにより、電気品箱１１のメンテナンスを実施することができる。これにより、電気品箱１１のメンテナンスが容易になる。ベルマウス１０はドレンパン９の内周部に下方から取付けられている。これにより、遠心ファン７やモータ６の交換などのメンテナンスも吸込みグリル３を開け、ベルマウス１０を取り外すことで容易に行うことができる。【００１９】
本実施例では、遠心送風機５、室内熱交換器８、ドレンパン９、ベルマウス１０、電気品箱１１及びフィルタ１６は、筐体２と化粧パネル１とで囲まれた空間内（筐体２の内側）に配置されている。【００２０】
ここでドレンパン９は、熱交換器８を載せる底面（底面部）２１から壁面（壁面部）２２および壁面（壁面部）２３が上方に立ち上がる形状となっている。壁面２２は、空気の流れ方向において、熱交換器８に対して下流側に位置する壁面であり、ドレンパン９の外周側の壁面を構成する。壁面２３は、空気の流れ方向において、熱交換器８に対して上流側に位置する壁面であり、ドレンパン９の内周側の壁面を構成する。【００２１】
本実施例では、熱交換器８の上流側に位置する壁面２３の上端（上縁部）２３ａは熱交換器８の下流側に位置する壁面２２の上端（上縁部）２２ａよりも下方（低い位置）に位置するとともに、熱交換器８の上流側に位置する壁面２３の上端２３ａは遠心ファン７の吐出口７ｂの下端よりも下方（低い位置）に位置している。なお、本実施例では、壁面２３の上端２３ａと壁面２２の上端２２ａとは、高さ方向において、ｈ１の距離だけ離れている。また、遠心ファン７の吐出口７ｂの下端と壁面２３の上端２３ａとは、高さ方向において、ｈ２の距離だけ離れている。【００２２】
ここで、図５を用いて、本実施例との比較例について説明する。図５は、本発明との比較例における空気調和機の室内機を示す断面図である。なお、図１と構成が等しい部分には同一の符号を付し、説明を省略する。【００２３】
図５の比較例における室内機１００Ｅでは、図１の室内機１００Ａと比較して、ドレンパン１０９の形状が相違している。また、ドレンパン１０９の形状が相違していることにより、ベルマウス１１０の形状（高さ方向における寸法）が図１の室内機１００Ａと相違している。【００２４】
ドレンパン１０９では、熱交換器８の上流側に位置する壁面１２３の上端（上縁部）１２３ａは熱交換器８の下流側に位置する壁面１２２の上端（上縁部）１２２ａよりも上方（高い位置）に位置している。また、壁面１２３の上端１２３ａは遠心ファン７の吐出口７ｂの下端よりも下方に位置している。この比較例では、壁面１２３の上端１２３ａは、高さ方向において、壁面１２２の上端１２２ａに対してｈ３だけ上方に位置している。このとき、壁面１２２の上端１２２ａの高さ位置が図１の室内機１００Ａにおける壁面２２の上端２２ａの高さ位置と同じであるとすると、壁面１２３の上端１２３ａの高さ位置は第１の実施例における壁面２３の上端２３ａの高さ位置と比べて、（ｈ１＋ｈ３）だけ高くなる。また、遠心ファン７の吐出口７ｂの下端と壁面１２３の上端１２３ａとの高さ方向における距離ｈ４は、（ｈ２−（ｈ１＋ｈ３））の長さになる。すなわち、比較例における室内機１００Ｅでは、図１の室内機１００Ａに対して、遠心ファン７の吐出口７ｂの下端と壁面１２３の上端１２３ａとの高さ方向における距離が、（ｈ１＋ｈ３）だけ短くなる。室内機１００Ｅでは、遠心ファン７の吐出口７ｂの下端と壁面１２３の上端１２３ａとの高さ方向における距離が短い分だけ、ベルマウス１１０の高さ方向寸法が小さくなる。【００２５】
本実施例では、熱交換器８の上流側に位置する壁面２３の上端２３ａが熱交換器８の下流側に位置する壁面２２の上端２２ａよりも下方に位置することにより、遠心ファン７の直径を大きくした際も吐出口７ｂとドレンパン９との距離（特に壁面２３の上端２３ａとの高さ方向における距離）を大きくすることができる。これにより、吐出口７ｂから吐出される空気の流れ（気流）とドレンパン９との干渉を低減することができる。そして、ドレンパン９と遠心ファン７の吐出口７ｂとが接近することにより生じる騒音の増大を抑制することができる。
【実施例２】
【００２６】
次に、図２を用いて、本発明に係る第２の実施例を説明する。なお、図１と構成が等しい部分には同一の符号を付し、説明を省略する。図２は、本発明に係る第２の実施例の空気調和機の室内機１００Ｂを示す断面図である。【００２７】
本実施例が第１の実施例と異なるのは、ドレンパン３０の底面３１の熱交換器８に対して上流側に、底面３１から更に下方に掘り込んだ掘り込み部３４を設けたことである。【００２８】
また、電気品箱３５は筐体２の外部に設けられている。電気品箱３５が筐体２の外部に設けられることにより、ベルマウス３６の形状が第１の実施例と異なっている。本実施例では、遠心送風機５、室内熱交換器８、ドレンパン９、ベルマウス１０及びフィルタ１６は、筐体２と化粧パネル１とで囲まれた空間内（筐体２の内側）に配置され、電気品箱３５は筐体２の外側に配置されている。【００２９】
本実施例においても、第１の実施例と同様に、熱交換器８の上流側に位置する壁面３３の上端（上縁部）３３ａは熱交換器８の下流側に位置する壁面３２の上端（上縁部）３２ａよりも下方（低い位置）に位置するとともに、熱交換器８の上流側に位置する壁面３３の上端３３ａは、遠心ファン７の吐出口７ｂの下端よりも下方（低い位置）に位置している。壁面３３の上端３３ａと壁面３２の上端３２ａとは、高さ方向において、ｈ１の距離だけ離れている。また、遠心ファン７の吐出口７ｂの下端と壁面３３の上端３３ａとは、高さ方向において、ｈ２の距離だけ離れている。【００３０】
熱交換器８の上流側に位置する壁面３３の高さを小さくすると、ドレンパン３０に溜めることができる結露水の保水量が減少してしまう。そこで、本実施例においては、ドレンパン３０の熱交換器８の上流側に掘り込み部３４を設けることで、ドレンパン３０の保水量を確保するようにしている。また、ドレンパン３０の熱交換器８の下流側は空気の吹出し流路を構成しているため掘り込み部を設けることは困難である。しかし、熱交換器８の上流側はファン吸入口の死水域となっているため、掘り込み部３４を設けても空気の流れに悪影響を及ぼさない。また、電気品箱３５を筐体２の外部に配置することで、第１の実施例において電気品箱１１を設けていた部分にも掘り込み部３４を設けることができ、保水量を更に確保することができる。【００３１】
なお、保水量は少なくなるが、掘り込み部をドレンパンの一部は第１の実施例に示したような構造とし、この部分に第１の実施例と同様に電気品箱１１を設け、グリルを外せば電気品箱１１のメンテナンスができるような構造とすることも可能である。更に、製品の大きさを大きくするなどの工夫をして、掘り込み部３４の一部または全てを熱交換器８の下流側に設けることも可能である。また、このような構造の空気調和機の室内機では、結露水を機外に排出するためのドレンポンプ３７が設けられるが、ドレンポンプ３７の吸入口３７ａは掘り込み部３４と同じ高さ位置にして、掘り込み部３４の内側にドレンポンプ３７の吸入口３７ａを開口するようにすることが、ドレン水の排出を効率的に行うのに望ましい。ドレンポンプ３７は、上述した第１の実施例や、後述する第３の実施例及び第４の実施例に設けてもよい。ドレンポンプ３７を第３の実施例及び第４の実施例に設ける場合は、本実施例と同様に、掘り込み部４４，５４の内側にドレンポンプ３７の吸入口３７ａを開口するようにすることが望ましい。ドレンポンプ３７でくみ上げた結露水は排水配管３７ｂを通じて機外に排出される。
【実施例３】
【００３２】
次に、図３を用いて、本発明に係る第３の実施例を説明する。なお、前述の図１および図２と構成が等しい部分には同一の符号を付し、説明を省略する。図３は、本発明に係る第３の実施例の空気調和機の室内機１００Ｃを示す断面図である。【００３３】
本実施例では、遠心送風機５、室内熱交換器８、ドレンパン４０、ベルマウス４５及びフィルタ１６は、筐体２と化粧パネル１とで囲まれた空間内（筐体２の内側）に配置され、電気品箱３５は筐体２の外側に配置されている。電気品箱３５は第１の実施例と同様に、筐体２の内側に配置してもよい。【００３４】
本実施例が第１の実施例および第２の実施例と異なるのは、ドレンパン４０の熱交換器８の上流側に位置する壁面４３の上端４３ａが熱交換器８の下端よりも下方（低い位置）に位置していることである。【００３５】
本実施例においては、熱交換器８の上流側に位置する壁面４３の上端（上縁部）４３ａは熱交換器８の下流側に位置する壁面４２の上端（上縁部）４２ａよりも下方（低い位置）に位置するとともに、熱交換器８の上流側に位置する壁面４３の上端４３ａは遠心ファン７の吐出口７ｂの下端よりも下方（低い位置）に位置している。壁面４３の上端４３ａと壁面４２の上端４２ａとは、高さ方向において、ｈ５の距離だけ離れている。また、遠心ファン７の吐出口７ｂの下端と壁面４３の上端４３ａとは、高さ方向において、ｈ６の距離だけ離れている。本実施例におけるＨ５およびＨ６は、第１の実施例におけるｈ１およびｈ２に対して、ｈ５＞ｈ１およびｈ６＞ｈ２の関係にある。また、壁面４３の上端４３ａと熱交換器８の下端とは、高さ方向に、ｈ７の距離だけ離れている。【００３６】
通常、ドレンパン４０の熱交換器８に対して上流側の壁面４３は熱交換器８を塞ぐように配置されているため、熱交換器８に流入する空気の流れを妨げ、通風抵抗となってしまう。そこで本実施例では、熱交換器８の上流側の壁面４３が熱交換器８を塞がないような構成とすることで、通風抵抗となるのを防いでいる。【００３７】
更に、第２の実施例と同様に、ドレンパン４０の底面４１の熱交換器８の上流側に、底面４１から更に下方に掘り込んだ、掘り込み部４４を設けていることで、熱交換器上流側の壁面４３を低くしても結露水の保水が可能である。【００３８】
本実施例では、ベルマウス４５の上流側端部が低くなった壁面４３の上端４３ａに固定されているため、ベルマウス４５の高さ方向寸法が第１の実施例および第２の実施例よりも大きくなっている。
【実施例４】
【００３９】
次に、図４を用いて、本発明に係る第４の実施例を説明する。なお、前述の図１ないし図３と構成が等しい部分には同一の符号を付し、説明を省略する。図４は、本発明に係る第４の実施例の空気調和機の室内機１００Ｄを示す断面図である。【００４０】
本実施例では、遠心送風機５、室内熱交換器５８、ドレンパン５０、ベルマウス４５及びフィルタ１６は、筐体２と化粧パネル１とで囲まれた空間内（筐体２の内側）に配置され、電気品箱３５は筐体２の外側に配置されている。電気品箱３５は第１の実施例と同様に、筐体２の内側に配置してもよい。【００４１】
本実施例が第３の実施例と異なるのは、ドレンパン５０の熱交換器８に対して下流側の壁面５２と熱交換器５８との水平方向における距離ｄ１が、熱交換器８に対して上流側の壁面５３と熱交換器５８との水平方向における距離ｄ２よりも大きくなるように構成されていることである。【００４２】
ドレンパン５０の熱交換器８の下流側の壁面５２は熱交換器８で生じる結露水を保水するとともに、熱交換器８で生じた結露が、送風により外部に飛び出すのを防ぐ役目を持っている。本実施例では、結露水は熱交換器８に対して上流側に設けた掘り込み部５４で保水するとともに、熱交換器５８と熱交換器８の下流側の壁面５２との距離ｄ１を大きくしているため、熱交換器８の下流側の壁面５２の高さを低くしても、熱交換器５８で生じた結露が、送風により外部に吹き出すのを防ぐことができる。また、熱交換器８の下流側の壁面５２を低くすることで、熱交換器５８から吹き出す空気が熱交換器８の下流側の壁面５２に妨げられることがなくなり、通風抵抗を減らすことができる。【００４３】
本実施例の壁面５２，５３と遠心ファン７の吐出口７ｂとの高さ方向の位置関係は以下のように構成されている。熱交換器５８の上流側に位置する壁面４３の上端（上縁部）５３ａは熱交換器５８の下流側に位置する壁面５２の上端（上縁部）５２ａよりも下方（低い位置）に位置するとともに、熱交換器５８の上流側に位置する壁面５３の上端５３ａは遠心ファン７の吐出口７ｂの下端よりも下方（低い位置）に位置している。壁面５３の上端５３ａと壁面５２の上端５２ａとは、高さ方向において、ｈ８の距離だけ離れている。また、遠心ファン７の吐出口７ｂの下端と壁面５３の上端５３ａとは、高さ方向において、ｈ６の距離だけ離れている。また、壁面５３の上端５３ａと熱交換器５８の下端とは、高さ方向に、ｈ７の距離だけ離れている。すなわち、遠心ファン７の吐出口７ｂの下端と壁面５３の上端５３ａとの高さ方向における距離は、第３の実施例の構成と同じである。また、壁面５３の上端５３ａと熱交換器５８の下端との高さ方向における距離も、第３の実施例の構成と同じである。【００４４】
本実施例で説明した壁面５２と熱交換器５８と壁面５３との水平方向における距離関係は、第１の実施例及び第２の実施例にも適用可能である。【００４５】
なお、以上の実施例において、ドレンパン９，３０，４０，５０の熱交換器８，５８に対して上流側の壁面２３，３３，４３，５３の厚さを熱交換器８，５８に対して下流側の壁面２２，３２，４２，５２の厚さよりも薄くすることで、ドレンパン９，３０，４０，５０と遠心送風機５との距離を更に大きくすることができるため、騒音低減に有利である。【００４６】
また、本実施例は筐体の周囲に吹出口を設けた天井埋込カセット型の室内機について説明しているが、吹出口を周囲の２方向や１方向にのみ設けた形式や、更に天井から吊下げる形式の室内機に対しても本発明を適用可能である。本発明は、遠心送風機を備え、その周囲の一部あるいは全周に熱交換器を設けた形式の室内機であれば共通して適用できるものである。【００４７】
上述した各実施例では、筐体内に設けられた遠心送風機を介して、室内から空気を吸い込み、遠心送風機の吐出側に設けられた熱交換器を介して空気を冷却または加熱したのち、室内に向けて吹き出す空気調和機の室内機において、遠心ファンとドレンパンが接近することによる騒音の増加を防止することができる。【００４８】
なお、本発明は上記した各実施例に限定されるものではなく、様々な変形例が含まれる。例えば、上記した実施例は本発明を分かりやすく説明するために詳細に説明したものであり、必ずしも全ての構成を備えるものに限定されるものではない。また、ある実施例の構成の一部を他の実施例の構成に置き換えることが可能であり、また、ある実施例の構成に他の実施例の構成を加えることも可能である。また、各実施例の構成の一部について、他の構成の追加・削除・置換をすることが可能である。
【符号の説明】
【００４９】
３…吸込グリル（室内機吸込口）、５…遠心送風機、７…遠心ファン、７ａ…遠心ファンの吸込口、７ｂ…遠心ファンの吐出口、８，５８…熱交換器、１２…吹出口（室内機吹出口）、９，３０，４０，５０，１０９…ドレンパン、１０，３６，４５，１１０…ベルマウス、２１，３１，４１，５１…ドレンパンの底面、２２，３２，４２，５２…ドレンパンの熱交換器に対して上流側に位置する壁面（壁面部）、２３，３３，４３，５３…ドレンパンの熱交換器に対して下流側に位置する壁面（壁面部）、２４，３４，４４，５４…ドレンパンの熱交換器に対して上流側に設けた掘り込み部、３７…ドレンポンプ、３７ａ…ドレンポンプ３７の吸入口、３７ｂ…ドレンポンプ３７の排水配管。
【図１】
2016084216.tif 000003
【図２】
2016084216.tif 000004
【図３】
2016084216.tif 000005
【図４】
2016084216.tif 000006
【図５】
2016084216.tif 000007
【国際調査報告】
2016084216.tif 000008
2016084216.tif 000009
2016084216.tif 000010
2016084216.tif 000011